(57)【要約】      （修正有）【課題】ミラーの角度、ミラーのギャップを自由に変える多様で複雑な反射像を楽しむことのできる万華鏡を提供する。【解決手段】回転自由の棒状バネで万華鏡外筒または固定部分と可変ミラーがつながれており、ミラーの一部を移動させるとミラーは任意の角度や他のミラーとのギャップを変化させることができる。外筒１５に固定された固定鏡面１６と外筒と棒状バネ１７でジョイントされた可変鏡面１８から構成され、棒状バネは自由に回転できるようになっている。外筒の一部に調整用のネジを取り付け、このネジをねじることで鏡面の裏側に先端が当たり、更に調整ネジをねじ込むと棒状バネのみで支持されている可変ミラーは動き出す。この動きをアイホール側からオブジェクトを鏡面体に写すと大きな画像変化としてみることができる。可変ミラーの移動を止めるとミラーは棒状バネの復元力により元の位置に戻る可変ミラーを動かす機構を有する万華鏡。【選択図】図２
0003112907.tif 000002
【実用新案登録請求の範囲】
【請求項１】
ミラー角度が変えられる可変ミラーと固定ミラーを持つ万華鏡においてミラー角度を変える機構にロッド状のバネを使いその片方をミラーの裏面にミラーと平行に固定し、反対側は万華鏡本体に固定された固定ミラーと平行に固定した軸受けに通すことにより可変ミラーは万華鏡本体とほぼ平行にホールドされる。この可変ミラーの片側もしくは両側を動かすことにより自由にミラー角度を変えることのできる可変ミラーを使った万華鏡
【請求項２】
ミラー角度が変えられる可変ミラーと固定ミラーを持つ万華鏡においてミラー角度を変える機構にロッド状のバネを使いその片方をミラーの裏面にミラーと平行に固定し、反対側は万華鏡本体に固定された固定ミラーと平行に固定した軸受けに通すことにより可変ミラーは万華鏡本体とほぼ平行にホールドされる。この可変ミラーの片側もしくは両側を動かすことにより自由に固定ミラーとのギャップを変えることのできる可変ミラーを使った万華鏡
【請求項３】
ミラー角度が変えられる可変ミラーと固定ミラーを持つ万華鏡においてミラー角度を変える機構にロッド状のバネを使いその片方をミラーの裏面にミラーと平行に固定し、反対側は万華鏡本体に固定された固定ミラーと平行に固定した軸受けに通すことにより可変ミラーは万華鏡本体とほぼ平行にホールドされる。この可変ミラーの片側もしくは両側を動かすことにより自由に可変ミラーの角度と固定ミラーとのギャップを同時に変えることのできる可変ミラーを使った万華鏡
【請求項４】
請求項１および２の可変ミラーを動かす手段として万華鏡本体に取り付けた１本または複数本のネジを使って微妙な角度調整や固定ミラーとのギャップ調整ができる可変ミラーを使った万華鏡
【請求項５】
請求項１、２および３の可変ミラーを動かす手段として万華鏡に組み込まれたモーターの回転運動を利用して可変ミラーの角度と固定ミラーとのギャップを自動的に変化させる機構を持つ万華鏡
【考案の詳細な説明】
【技術分野】本考案はミラーの角度、ミラーのギャップを変えることにより多様な反射像を楽しむことのできる万華鏡に関する。
【背景技術】
【０００１】万華鏡は円筒または多角柱の中に３角または多角形状の鏡面を内側にしたミラーの中空筒体を挿入し、一方に覗き穴を設けると共に、他方の端部に彩色紙片、彩色ガラス片などの小片（オブジェクト）を収容し、万華鏡円筒またはオブジェクトケースを回転させることにより端部の彩色紙片、彩色ガラス片などを移動させ、移動状態を鏡面に写して現出する各種色模様を覗き穴（アイホール）から見て楽しむ構成となっている。
【考案の開示】
【考案が解決しようとする課題】
【０００２】この考案は、万華鏡のオブジェクトの移動状態を鏡面に写して現出する各種色模様を覗き穴から見て楽しむだけではなくて、万華鏡の３角または多角形状の鏡面を内側にした中空筒体の一部またはすべてのミラーを外部から各ミラー間の接する角度とギャップを変化させることにより、より複雑で多様な反射像を提供するものである。
【課題を解決するための手段】
【０００３】要求項１に記載の万華鏡は円筒または多角柱の中に挿入された３角または多角形状の内部を鏡面とする中空筒体の一部または全部のミラーを各ミラー間の接する角度とギャップを変化させるための可変ミラーを支持するための機構である。回転自由の棒状バネで万華鏡外筒または固定部分と可変ミラーがつながれており、ミラーの一部を移動させるとミラーは任意の角度や他のミラーとのギャップを変化させることができる。可変ミラーの移動を止めるとミラーは棒状バネの復元力により元の位置に戻る可変ミラーを動かす機構を有する。【０００４】要求項１、２および３に記載の万華鏡は可変ミラーを移動し、また元の位置に戻すための機構である。万華鏡の外側を構成する円筒または多角柱やその周辺の固定部に微細ねじを取り付け微細ねじをねじ込むことで微細ねじの内側先端が可変鏡面にあたり鏡面が移動し角度が変わる。ねじを元の位置に戻すと鏡面も元の位置に戻る機構を有する。【０００５】上記可変ミラーを動かす方法の一例として、微細ネジで実現する方法を説明したが、他にモーターで動かしたり、油圧、空圧など動力をつかったり、楔を用いて実現することもできる。
【考案の効果】
【０００６】万華鏡の内部が鏡面である中空筒体は、物体がその内側に入るとその像が写りこみオブジェクトと重なってオブジェクトの像を美しく写し出すことができない。従って、中空筒体の中に可変ミラー機構を付けることができない制約がある。これを実現しようとするとミラーの外側にコイルバネや複雑な可変機構が必要であり、装置も大掛かりになり、小型化することが困難であった。この考案により小型の万華鏡でも実現が可能となった。【０００７】棒状バネを万華鏡本体側に取り付けた回転自由な軸受けに入れることにより、鏡面の角度や位置を外部から任意に可変することが可能になった。またこのバネは元に戻る力を強く有する素材を利用しているため物理的に押し上げひねりの状態が解除されると速やかにもとの状態に戻ることができる。
【考案を実施するための最良の形態】
【０００８】本考案の実施の形態を図面により詳述する。
図１は一般的な可変ミラーを持たない万華鏡の断面図である。外筒１０の中に納められた中空鏡面筒体１１と一方にアイホール１２を設けると共に、他方の端部のオブジェクトケース１３に彩色紙片、彩色ガラス片などのオブジェクト１４を収容し、円筒を回転させることにより端部の彩色紙片、彩色ガラス片などを移動させ、移動状態を鏡面に写して現出する各種色模様を覗き穴から見て楽しむ構成となっている。【０００９】図２はこの考案の可変ミラー万華鏡の断面図である。外筒１５に固定された固定鏡面１６と外筒と棒状バネ１７でジョイントされた可変鏡面１８から構成される。棒状バネのジョイント部は両方または片側が軸受け構造となっていて、棒状バネは自由に回転できるようになっている。外筒の一部に調整用のネジを取り付けこのネジをねじることで鏡面の裏側に先端が当たる。更に調整ネジをねじ込むと棒状バネのみで支持されている可変ミラーは動き出す。ねじの位置によって動く方向と角度は変化する。この動きをアイホール側からオブジェクトを鏡面体に写すと大きな画像変化としてみることができる。【００１０】図３は図２のＡ−Ａ‘間の断面図である。この実施例では一つの可変鏡面に対して２本の調整ネジで調整できる構成である。２本の調整ネジで調整することにより任意の角度やギャップを調整することができる。
【実施例】
【００１１】図４は４角形の外筒に構成した実施例である。この実施例では上記の２本の調整ネジを有する。外筒の側面と底面に固定鏡面を取り付け、側面の鏡面を取り付けていないところに反射防止のため黒テープを貼り付ける。外筒の上蓋に棒状バネジョイント（軸受け）を取り付け可変ミラー裏側に棒状バネを固定する。
外筒蓋ジョイントに可変ミラーの棒状バネを差込み外筒箱に上蓋に取り付けた可変ミラーを差し込む、可変ミラーは外筒の中で自由な角度とギャップで動くことができるが、横方向の動きは外筒で制限されるため一定範囲で抑えられ視界から外れることがない。このため、美しい画像がいつでも楽しめる。
【産業上の利用可能性】
【００１２】従来、可変ミラー万華鏡は、その機構が複雑でかつ製作精度の要求も厳しかったためあまり普及していなかった。しかし、オブジェクトの移動の有様を中空鏡面体に写す万華鏡では一種類の鏡面構成だけしか見ることができなかった。この考案によりオブジェクトの移動とあわせて鏡面構成を可変できるようになり、多様の反射像を持つ万華鏡が可能になった。【００１３】棒状バネにより板状の物体がどんな角度でも微細に変えることができるこの考案は他の産業分野でも応用可能である。
【図面の簡単な説明】
【００１４】
【図１】従来の万華鏡の断面図
【図２】可変ミラーを使った万華鏡の断面図
【図３】図２の線Ａ−Ａ‘の矢視図
【図４】可変ミラーを使った万華鏡の実施例
【符号の説明】
【００１５】    １０  外筒
１１  内側に鏡面を持つミラー筒
１２  アイホール
１３  オブジェクトケース
１４  オブジェクト
１５  外筒
１６  固定ミラー
１７  棒状バネ
１８  軸受け
１９  固定軸受け
２０  調整ネジ
２１  可変ミラー
２２  側面ミラー
２３  側面反射防止テープ
【図１】
0003112907.tif 000003
【図２】
0003112907.tif 000004
【図３】
0003112907.tif 000005
【図４】
0003112907.tif 000006
【手続補正書】
【提出日】平成17年4月28日(2005.4.28)
【手続補正１】
【補正対象書類名】実用新案登録請求の範囲
【補正対象項目名】全文
【補正方法】変更
【補正の内容】
【実用新案登録請求の範囲】
【請求項１】
ミラー角度が変えられる可変ミラーと固定ミラーを持つ万華鏡においてミラー角度を変える機構にロッド状のバネを使いその片方をミラーの裏面にミラーと平行に固定し、反対側は万華鏡本体に固定された固定ミラーと平行に固定した軸受けに通すことにより可変ミラーは万華鏡本体とほぼ平行にホールドされ、この可変ミラーの片側もしくは両側を動かすことにより自由にミラー角度を変えることのできる可変ミラーを使った万華鏡。
【請求項２】
ミラー角度が変えられる可変ミラーと固定ミラーを持つ万華鏡においてミラー角度を変える機構にロッド状のバネを使いその片方をミラーの裏面にミラーと平行に固定し、反対側は万華鏡本体に固定された固定ミラーと平行に固定した軸受けに通すことにより可変ミラーは万華鏡本体とほぼ平行にホールドされ、この可変ミラーの片側もしくは両側を動かすことにより自由に固定ミラーとのギャップを変えることのできる可変ミラーを使った万華鏡。
【請求項３】
ミラー角度が変えられる可変ミラーと固定ミラーを持つ万華鏡においてミラー角度を変える機構にロッド状のバネを使いその片方をミラーの裏面にミラーと平行に固定し、反対側は万華鏡本体に固定された固定ミラーと平行に固定した軸受けに通すことにより可変ミラーは万華鏡本体とほぼ平行にホールドされ、この可変ミラーの片側もしくは両側を動かすことにより自由に可変ミラーの角度と固定ミラーとのギャップを同時に変えることのできる可変ミラーを使った万華鏡。
【請求項４】
請求項１または２の可変ミラーを動かす手段として万華鏡本体に取り付けた１本または複数本のネジを使って微妙な角度調整や固定ミラーとのギャップ調整ができる可変ミラーを使った万華鏡。
【請求項５】
請求項１、２および３のいずれか１つに記載の可変ミラーを動かす手段として万華鏡に組み込まれたモーターの回転運動を利用して可変ミラーの角度と固定ミラーとのギャップを自動的に変化させる機構を持つ万華鏡。
【手続補正２】
【補正対象書類名】明細書
【補正対象項目名】全文
【補正方法】変更
【補正の内容】
【考案の詳細な説明】
【技術分野】
【０００１】本考案はミラーの角度、ミラーのギャップを変えることにより多様な反射像を楽しむことのできる万華鏡に関する。
【背景技術】
【０００２】万華鏡は円筒または多角柱の中に３角または多角形状の鏡面を内側にしたミラーの中空筒体を挿入し、一方に覗き穴を設けると共に、他方の端部に彩色紙片、彩色ガラス片などの小片（オブジェクト）を収容し、万華鏡円筒またはオブジェクトケースを回転させることにより端部の彩色紙片、彩色ガラス片などを移動させ、移動状態を鏡面に写して現出する各種色模様を覗き穴（アイホール）から見て楽しむ構成となっている。
【考案の開示】
【考案が解決しようとする課題】
【０００３】この考案は、万華鏡のオブジェクトの移動状態を鏡面に写して現出する各種色模様を覗き穴から見て楽しむだけではなくて、万華鏡の３角または多角形状の鏡面を内側にした中空筒体の一部またはすべてのミラーを外部から各ミラー間の接する角度とギャップを変化させることにより、より複雑で多様な反射像を提供するものである。
【課題を解決するための手段】
【０００４】請求項１に記載の万華鏡は円筒または多角柱の中に挿入された３角または多角形状の内部を鏡面とする中空筒体の一部または全部のミラーを各ミラー間の接する角度とギャップを変化させるための可変ミラーを支持するための機構である。回転自由の棒状バネで万華鏡外筒または固定部分と可変ミラーがつながれており、ミラーの一部を移動させるとミラーは任意の角度や他のミラーとのギャップを変化させることができる。可変ミラーの移動を止めるとミラーは棒状バネの復元力により元の位置に戻る可変ミラーを動かす機構を有する。【０００５】請求項１、２または３に記載の万華鏡は可変ミラーを移動し、また元の位置に戻すための機構である。万華鏡の外側を構成する円筒または多角柱やその周辺の固定部に微細ねじを取り付け微細ねじをねじ込むことで微細ねじの内側先端が可変鏡面にあたり鏡面が移動し角度が変わる。ねじを元の位置に戻すと鏡面も元の位置に戻る機構を有する。【０００６】上記可変ミラーを動かす方法の一例として、微細ネジで実現する方法を説明したが、他にモーターで動かしたり、油圧、空圧など動力をつかったり、楔を用いて実現することもできる。
【考案の効果】
【０００７】万華鏡の内部が鏡面である中空筒体は、物体がその内側に入るとその像が写りこみオブジェクトと重なってオブジェクトの像を美しく写し出すことができない。従って、中空筒体の中に可変ミラー機構を付けることができない制約がある。これを実現しようとするとミラーの外側にコイルバネや複雑な可変機構が必要であり、装置も大掛かりになり、小型化することが困難であった。この考案により小型の万華鏡でも実現が可能となった。【０００８】棒状バネを万華鏡本体側に取り付けた回転自由な軸受けに入れることにより、鏡面の角度や位置を外部から任意に可変することが可能になった。またこのバネは元に戻る力を強く有する素材を利用しているため物理的に押し上げひねりの状態が解除されると速やかにもとの状態に戻ることができる。
【考案を実施するための最良の形態】
【０００９】本考案の実施の形態を図面により詳述する。
図１は一般的な可変ミラーを持たない万華鏡の断面図である。外筒１０の中に納められた中空鏡面筒体１１と一方にアイホール１２を設けると共に、他方の端部のオブジェクトケース１３に彩色紙片、彩色ガラス片などのオブジェクト１４を収容し、円筒を回転させることにより端部の彩色紙片、彩色ガラス片などを移動させ、移動状態を鏡面に写して現出する各種色模様を覗き穴から見て楽しむ構成となっている。【００１０】図２はこの考案の可変ミラー万華鏡の断面図である。外筒１５に固定された固定鏡面１６と外筒と棒状バネ１７でジョイントされた可変鏡面１８から構成される。棒状バネのジョイント部は両方または片側が軸受け構造となっていて、棒状バネは自由に回転できるようになっている。外筒の一部に調整用のネジを取り付けこのネジをねじることで鏡面の裏側に先端が当たる。更に調整ネジをねじ込むと棒状バネのみで支持されている可変ミラーは動き出す。ねじの位置によって動く方向と角度は変化する。この動きをアイホール側からオブジェクトを鏡面体に写すと大きな画像変化としてみることができる。【００１１】図３は図２のＡ−Ａ‘間の断面図である。この実施例では一つの可変鏡面に対して２本の調整ネジで調整できる構成である。２本の調整ネジで調整することにより任意の角度やギャップを調整することができる。
【実施例】
【００１２】図４は４角形の外筒に構成した実施例である。この実施例では上記の２本の調整ネジを有する。外筒の側面と底面に固定鏡面を取り付け、側面の鏡面を取り付けていないところに反射防止のため黒テープを貼り付ける。外筒の上蓋に棒状バネジョイント（軸受け）を取り付け可変ミラー裏側に棒状バネを固定する。
外筒蓋ジョイントに可変ミラーの棒状バネを差込み外筒箱に上蓋に取り付けた可変ミラーを差し込む、可変ミラーは外筒の中で自由な角度とギャップで動くことができるが、横方向の動きは外筒で制限されるため一定範囲で抑えられ視界から外れることがない。このため、美しい画像がいつでも楽しめる。
【産業上の利用可能性】
【００１３】従来、可変ミラー万華鏡は、その機構が複雑でかつ製作精度の要求も厳しかったためあまり普及していなかった。しかし、オブジェクトの移動の有様を中空鏡面体に写す万華鏡では一種類の鏡面構成だけしか見ることができなかった。この考案によりオブジェクトの移動とあわせて鏡面構成を可変できるようになり、多様の反射像を持つ万華鏡が可能になった。【００１４】棒状バネにより板状の物体がどんな角度でも微細に変えることができるこの考案は他の産業分野でも応用可能である。
【図面の簡単な説明】
【００１５】
【図１】従来の万華鏡の断面図である。
【図２】可変ミラーを使った万華鏡の断面図である。
【図３】図２の線Ａ−Ａ‘の矢視図である。
【図４】可変ミラーを使った万華鏡の実施例である。
【符号の説明】
【００１６】１０  外筒
１１  内側に鏡面を持つミラー筒
１２  アイホール
１３  オブジェクトケース
１４  オブジェクト
１５  外筒
１６  固定ミラー
１７  棒状バネ
１８  軸受け
１９  固定軸受け
２０  調整ネジ
２１  可変ミラー
２２  側面ミラー
２３  側面反射防止テープ